【手続補正書】
【提出日】令和1年5月27日(2019.5.27)
【手続補正１】
【補正対象書類名】明細書
【補正対象項目名】０００４
【補正方法】変更
【補正の内容】
【０００４】
従来、マルチコンセントは多数個のコンセントに連結される電気機器の電源全体をマルチコンセントに付着された一つのスイッチでオン／オフする形態と、それぞれのコンセントごとに独立的に付着されたスイッチでユーザがオン／オフしなければならない形態を含む。また、前記マルチコンセントは、多重機器の電力供給時の過熱により発生することができる火事及び機器故障を防止するために許容電力に基づいて自体遮断機能を含む。しかし、多重機器の消費電力の合計が許容電力を超過する時、接続された機器の電力を同時に遮断する既存のマルチコンセントの場合、連結された機器の特性を考慮せず電力供給が急に変動されるようになり、ユーザに機器利用の不便をもたらすことができる。したがって、接続された機器の利用特性を考慮して差別的に電力供給を制御する方法が必要である。
【手続補正２】
【補正対象書類名】明細書
【補正対象項目名】０００９
【補正方法】変更
【補正の内容】
【０００９】
【図１】本発明の実施形態による機器の電力供給を制御する装置の構成を説明する図面である。
【図２】本発明の実施形態による機器の電力供給を制御する方法を説明するフローチャートである。
【図３】本発明の実施形態による連結機器別の優先順位を決定する方法を説明するフローチャートである。
【図４】本発明の実施形態による連結機器の消費電力の合計が許容電力を超過した場合、連結機器別に電力供給を制御する方法を説明するフローチャートである。
【図５】本発明の実施形態による決定された優先順位に基づいて連結機器別の電力を遮断する方法を説明するフローチャートである。
【図６】本発明の実施形態による新規機器連結時の許容範囲超過の可能性を予測して電力供給を制御する方法を説明するフローチャートである。
【手続補正３】
【補正対象書類名】明細書
【補正対象項目名】００２１
【補正方法】変更
【補正の内容】
【００２１】
前記電力測定部１００は、連結された機器に対して測定した消費電力の合計がマルチコンセントの供給許容電力を超過する場合、電力制御部１３０にこれを通知することができる。また、前記電力測定部１００は、前記記憶部１１０、分析部１２０、電力制御部１３０などが前記マルチコンセント外部に位置する場合には通信部を備えて前記測定した消費電力に対する情報及び連結時間に対する情報を外部へ送信することができる。
【手続補正４】
【補正対象書類名】明細書
【補正対象項目名】００２５
【補正方法】変更
【補正の内容】
【００２５】
前記分析部１２０は、前記記憶部１１０に記憶された情報に基づいて前記連結機器別の優先順位を決定することができる。前記分析部１２０は前記記憶部１１０に記憶された機器別の消費電力情報、連結時間情報、環境情報に基づいて連結機器別で予め設定された順位情報、ユーザフィードバック情報を用いて連結機器別の優先順位を決定することができる。前記連結機器別の優先順位とは連結機器別で電力を供給する時、考慮する優先順位を示す。すなわち、前記連結機器別の消費電力の合計が前記マルチコンセントの供給許容電力を超過する場合、前記連結機器のうちの電力供給を遮断する連結機器を決定することにおいて考慮される優先順位を示すことができる。前記連結機器別の優先順位は前記電力供給の優先順位を示すことができる。
【手続補正５】
【補正対象書類名】明細書
【補正対象項目名】００３２
【補正方法】変更
【補正の内容】
【００３２】
前記電力制御部１３０は、前記分析部１２０が決定した連結機器別の優先順位に基づいて前記連結機器別の電力供給を制御することができる。すなわち、前記電力制御部１３０は前記マルチコンセントに連結された機器の消費電力の合計が供給許容電力を超過する状況に対する情報を前記電力測定部１００から受信して分かる。この場合、前記電力制御部１３０は連結された機器の電力を制御するための連結機器別の優先順位に対する情報を前記分析部１２０に要請することができる。以後、前記分析部１２０から連結機器別の優先順位に対する情報を受信した場合、前記電力制御部１３０は前記連結機器別の優先順位に基づいて連結された機器のうちの少なくとも一つの電力供給を遮断することができる。
【手続補正６】
【補正対象書類名】明細書
【補正対象項目名】００３３
【補正方法】変更
【補正の内容】
【００３３】
前記表示部１４０は、前記電力制御部１３０で連結された機器の電力供給を制御する時、制御状況に対する情報を表示することができる。前記表示部１４０は前記電力制御部１３０から連結された機器の消費電力の合計が供給許容電力を超過する状況を示す情報を受信することができる。前記表示部１４０は前記連結された機器の消費電力の合計が供給許容電力を超過する状況を示す情報を受信する場合、警告メッセージを表示したり表示部の照明の照度を変化させてユーザに通知することができる。
【手続補正７】
【補正対象書類名】明細書
【補正対象項目名】００４０
【補正方法】変更
【補正の内容】
【００４０】
前記表示部１７０は、前記電力制御部１８６で連結された機器の電力供給を制御する時、制御状況に対する情報を表示することができる。前記表示部１７０は、前記電力制御部１８６から連結された機器の消費電力の合計が供給許容電力を超過する状況を示す情報を受信することができる。前記表示部１４０は、前記連結された機器の消費電力の合計が供給許容電力を超過する状況を示す情報を受信する場合、警告メッセージを表示したり表示部の照明の照度を変化させてユーザに通知することができる。
【手続補正８】
【補正対象書類名】明細書
【補正対象項目名】００４７
【補正方法】変更
【補正の内容】
【００４７】
以後、前記マルチコンセントはＳ２２０段階で連結機器の消費電力の合計が許容電力を超過した場合であれば、連結機器別で電力供給を制御することができる。この場合、前記決定された優先順位に基づいて連結機器のうちの１つまたは一部の電力を遮断することができる。また、また連結機器の消費電力の合計を測定し、許容電力を超過しない場合であれば、遮断された機器のうちの１つまたは一部に対して電力遮断を解除することができる。より具体的な電力供給を制御する方法は、以下の図４で説明する。
【手続補正９】
【補正対象書類名】明細書
【補正対象項目名】００４８
【補正方法】変更
【補正の内容】
【００４８】
また、前記マルチコンセントは、Ｓ２２５段階で新規連結機器が検出された場合、許容電力を超過する可能性を予測して連結機器別の電力供給を制御することができる。この場合、マルチコンセントに連結されているが作動されていない電力使用量変動機器が存在するかにより、新規連結機器を含む連結機器の電力供給を制御することができる。より具体的な説明は、以下の図６で説明する。
【手続補正１０】
【補正対象書類名】明細書
【補正対象項目名】００５０
【補正方法】変更
【補正の内容】
【００５０】
より具体的に、図３ａは前記図２のＳ２１０段階を具体化した実施形態に対する図面である。以下では、例えば、連結機器別の優先順位が“０”乃至“４”までの定数である順位で決定される場合を仮定して説明する。前記マルチコンセントは記憶部に予め記憶された連結機器のＩＤに対するユーザの設定情報、消費電力情報、または連結時間情報のうちのいずれか１つに基づいて前記連結機器の優先順位を決定することができる。
【手続補正１１】
【補正対象書類名】明細書
【補正対象項目名】００６６
【補正方法】変更
【補正の内容】
【００６６】
前記のような方法で、各連結機器に対してユーザの設定情報だけではなく、連結機器の電力消費パターン及び連結時間を考慮して連結機器の電力供給の優先順位を決定することによって、実質的な連結機器の使用特性によって電力を供給することができる効果がある。すなわち、マルチコンセントに連結された連結機器の消費電力の合計が供給許容電力を超過する場合に連結されたすべての機器の電力の供給を遮断するのではなく、前記決定した優先順位によって電力供給の遮断を決定することによって、急に電力供給が遮断されることによって致命的な問題が発生される連結機器に対しては電力供給の遮断を保留することができる。また、電力消費パターンを考慮した時、周期的に電力を用いる連結機器の場合、当該時間にはユーザが機器使用の必要度が高いことであるところ、この連結機器に優先的に電力を供給することによって、ユーザの機器利用満足度を高めることができる。
【手続補正１２】
【補正対象書類名】明細書
【補正対象項目名】００６７
【補正方法】変更
【補正の内容】
【００６７】
図３ｂは、図２のＳ２１０段階を具体化した他の実施形態に対する図面である。
【手続補正１３】
【補正対象書類名】明細書
【補正対象項目名】００６９
【補正方法】変更
【補正の内容】
【００６９】
前記機器の電力供給を制御する装置であるマルチコンセントはＳ３５０段階で連結機器に対するユーザの設定情報入力が存在するか否かを決定することができる。また、前記マルチコンセントは前記ユーザの設定情報が事業者政策情報にあるか決定することができる。前記ユーザの設定情報及び事業者政策情報は外部サーバーから受信することができる。
【手続補正１４】
【補正対象書類名】明細書
【補正対象項目名】００７０
【補正方法】変更
【補正の内容】
【００７０】
連結機器に対するユーザの設定情報入力が存在する場合、前記マルチコンセントはＳ３５５段階でユーザの設定情報どおり順位を決定することができる。すなわち、前記マルチコンセントは前記連結機器別の順位を決定するにおいて、ユーザの設定情報を最も優先的に考慮して決定することができる。この場合、前記ユーザは前記連結機器に対し、例えば、“０”、“１”、“２”、または“３”順位のうちのいずれか一つで設定することができ、このようなユーザ設定情報を受信した前記マルチコンセントは前記連結機器の順位を前記ユーザ設定情報によって設定することができる。
【手続補正１５】
【補正対象書類名】明細書
【補正対象項目名】００８４
【補正方法】変更
【補正の内容】
【００８４】
図４は、本発明の実施形態による連結機器の消費電力の合計が許容電力を超過した場合、連結機器別の電力供給を制御する方法を説明するフローチャートである。
【手続補正１６】
【補正対象書類名】明細書
【補正対象項目名】００８５
【補正方法】変更
【補正の内容】
【００８５】
より具体的に、図４は前記図２のＳ２２０段階を具体化させた図面である。前記機器の電力供給を制御する装置であるマルチコンセントはＳ４００段階で連結機器の消費電力を測定することができる。すなわち、現在時点でマルチコンセントに連結された機器の各消費電力を測定することができる。以後、前記マルチコンセントはＳ４１０段階で連結機器の消費電力の合計が供給許容電力を超過するか否かを決定することができる。前記供給許容電力は、前記マルチコンセントが連結機器に供給することができる電力を示す。前記供給許容電力はワット(Ｗ)、またはキロワット(ｋＷ)単位で予め決定されることができる。
【手続補正１７】
【補正対象書類名】明細書
【補正対象項目名】００８６
【補正方法】変更
【補正の内容】
【００８６】
連結機器の消費電力の合計が供給許容電力を超過する場合、前記マルチコンセントはＳ４２０段階で新規連結機器の連結時間がＴ１時間以内であるか決定することができる。前記新規連結機器とは、前記マルチコンセントに連結された少なくとも一つ以上の連結機器のうちの最も最後に連結された機器を示す。前記Ｔ１の時間は予め決定された臨界時間であることができる。前記Ｔ１は相対的に短い時間で１秒乃至５秒の値で決定することができる。前記新規連結された機器の連結時間がＴ１時間以内であるか決定することで、最も最後に連結された機器に異常があるか判断することができる。例えば、３秒以内に連結された機器によって供給許容電力を超過した場合であれば、前記連結された機器に漏電または過負荷などの異常が存在することを判断することができる。この場合、前記マルチコンセントはＳ４２５段階で前記新規連結機器の電力を遮断することができる。以後、前記マルチコンセントはＳ４００段階へ戻って、さらに現在時点の連結機器の消費電力を測定することができる。
【手続補正１８】
【補正対象書類名】明細書
【補正対象項目名】００８７
【補正方法】変更
【補正の内容】
【００８７】
前記マルチコンセントは前記新規連結機器の連結時間がＴ１時間以内ではない場合、Ｓ４３０段階で連結機器別の決定された優先順位に基づいて連結機器の電力を遮断することができる。
【手続補正１９】
【補正対象書類名】明細書
【補正対象項目名】００９２
【補正方法】変更
【補正の内容】
【００９２】
前記マルチコンセントがＳ４３０段階で決定された優先順位に基づいて連結機器の電力を遮断した場合、前記遮断された機器の情報は“遮断機器テーブル”に記録されることができる。前記遮断された機器の情報は、機器ＩＤ、当該機器の優先順位、遮断時間、及び消費電力を含むことができる。
【手続補正２０】
【補正対象書類名】明細書
【補正対象項目名】００９３
【補正方法】変更
【補正の内容】
【００９３】
前記マルチコンセントはＳ４１０段階で前記連結機器の消費電力の合計が供給許容電力を超過しない場合、Ｓ４４０段階で前記遮断機器テーブルに最近遮断された機器があるか判断する。前記遮断機器テーブルに最近遮断された機器がない場合、前記マルチコンセントはＳ４００段階へ復帰し、連結された機器の消費電力を測定することができる。すなわち、図４のフローチャートに説明された動作を周期的に繰り返し、現在時点での連結機器の消費電力が供給許容電力を超過するか否かをモニタリングできる。
【手続補正２１】
【補正対象書類名】明細書
【補正対象項目名】００９４
【補正方法】変更
【補正の内容】
【００９４】
前記マルチコンセントは前記遮断機器テーブルに最近遮断された機器がある場合、Ｓ４５０段階に行って遮断された機器の優先順位及び遮断時間に基づいて連結機器の電力遮断を解除することができる。より具体的に、前記端末は最近遮断された機器がある場合に対し、予め決定された時間以内に遮断された機器があることか決定することができる。前記予め決定された時間以内に遮断された機器がある場合、前記マルチコンセントの余裕許容範囲を計算することができる。前記余裕許容範囲は前記マルチコンセントの許容電力と現在連結機器の消費電力の合計が差異値を通じて計算することができる。前記余裕許容範囲と機器の消費電力を比べて遮断を解除する機器を選別することができる。
【手続補正２２】
【補正対象書類名】明細書
【補正対象項目名】００９５
【補正方法】変更
【補正の内容】
【００９５】
前記マルチコンセントは前記遮断を解除する機器を選別する時、前記連結された機器に決定された優先順位及び遮断時間を考慮することができる。すなわち、前記決定された優先順位を優先的に考慮し、前記“０”乃至“４”の定数で示した順位が同一である場合、遮断時間をさらに考慮して遮断を解除する機器を選別することができる。前記マルチコンセントは遮断を解除する機器を選別して電力遮断を解除し、電力を供給することができる。以後、マルチコンセントはＳ４００段階へ戻って現在時点で連結機器の消費電力を測定し、さらに、Ｓ２１０段階で連結機器の消費電力の合計が供給許容電力を超過するか否かを決定することができる。すなわち、前記マルチコンセントは前記動作を繰り返しながら、連結機器の消費電力の合計が供給許容電力を超過するか周期的にモニタリングできる。
【手続補正２３】
【補正対象書類名】明細書
【補正対象項目名】００９７
【補正方法】変更
【補正の内容】
【００９７】
図５は、図４のＳ４３０段階を具体化した図面である。前記機器の電力供給を制御する装置であるマルチコンセントはＳ５００段階で連結機器の消費電力のうちの供給許容電力に対する超過量計算することができる。前記マルチコンセントは連結機器の消費電力の合計で供給許容電力を減して超過量を計算することができる。
【手続補正２４】
【補正対象書類名】明細書
【補正対象項目名】０１０２
【補正方法】変更
【補正の内容】
【０１０２】
より具体的に、前記機器の電力供給を制御する装置であるマルチコンセントはＳ６００段階で新規機器の連結を検出することができる。前記マルチコンセントはＳ６１０段階で連結機器の消費電力を測定することができる。また、前記マルチコンセントはＳ６２０段階で連結機器の消費電力の合計が供給許容電力を超過するか否かを決定することができる。前記新規機器が連結されることによって、前記連結機器の消費電力の合計が供給許容電力を超過する場合には、前記マルチコンセントはＳ６２５段階で新規機器の電力供給を遮断することができる。
【手続補正２５】
【補正対象書類名】明細書
【補正対象項目名】０１０３
【補正方法】変更
【補正の内容】
【０１０３】
前記新規機器が連結されても、前記新規機器を含む連結機器の消費電力の合計が供給許容電力を超過しない場合、前記マルチコンセントはＳ６３０段階で作動していない電力使用量変動機器が存在するか否かを決定することができる。前記電力使用量変動機器は時間による消費電力が変動される機器を示すことができる。また、前記電力使用量変動機器は電力消費パターンが周期的に電力を消費する類型に該当する機器を含むことができる。前記マルチコンセントは連結機器の中で電力使用量変動機器が存在するか否かを決定することができる。
【手続補正２６】
【補正対象書類名】明細書
【補正対象項目名】０１１２
【補正方法】変更
【補正の内容】
【０１１２】
前記マルチコンセントはＳ６７０段階で図４のＳ４３０段階のように連結機器別の電力供給を遮断することができる。これは、前述した図４のＳ４３０段階の動作及びこれを具体化した図５の動作による。また、前記マルチコンセントは図４のようにＳ６７０段階で連結機器別の電力供給を遮断した以後、連結機器の消費電力を測定し、連結機器の消費電力の合が許容電力を超過するか否かを決定することができる。前記連結機器の消費電力の合が許容電力を超過しない場合、前記遮断された機器のうちの遮断を解除する機器を選別して電力供給遮断を解除することができる。前記動作は図４で説明したところの同様である。
【手続補正２７】
【補正対象書類名】図面
【補正対象項目名】図２
【補正方法】変更
【補正の内容】
【図２】
2018516523.tif 000001
【手続補正２８】
【補正対象書類名】図面
【補正対象項目名】図４
【補正方法】変更
【補正の内容】
【図４】
2018516523.tif 000002
【手続補正２９】
【補正対象書類名】図面
【補正対象項目名】図５
【補正方法】変更
【補正の内容】
【図５】
2018516523.tif 000003
【手続補正３０】
【補正対象書類名】図面
【補正対象項目名】図６
【補正方法】変更
【補正の内容】
【図６】
2018516523.tif 000004